(57)【要約】【課題】子供達が気軽に且つ手軽に遊ぶことができる遊戯装置を提供する。【解決手段】遊戯装置１は、長手方向が予め設定された直線方向に沿って形成された軌条１０と、軌条１０に係合し、この軌条１０に沿って移動する移動体２０と、遊戯者Ｙが掴まってぶら下がる掴持部１５ａを有し、吊り下げロープ１６によって移動体２０から吊り下げられた環状部材１５と、軌条１０をその長手方向に垂直且つ水平な揺動中心軸回りに揺動自在に支持する支持機構３０と、軌条１０を前記揺動中心軸回りに揺動させて傾斜させ、移動体２０を軌条１０の高所側から低所側に向けて移動させる傾斜機構４０とを備える。【選択図】図１
2008061799.tif 000002
【特許請求の範囲】
【請求項１】
予め設定された方向に沿って形成された軌条と、
前記軌条に係合し、この軌条に沿って移動する移動体と、
遊戯者が掴まってぶら下がる掴持部を有し、前記移動体に接続されてこの移動体とともに移動する部材と、
前記軌条に沿った方向において高低差が生じるようにこの軌条を傾斜自在に支持する支持手段と、
前記軌条に沿った方向において高低差が生じるようにこの軌条を傾斜させる傾斜手段とを備えてなることを特徴とする遊戯装置。
【請求項２】
前記軌条は、前記予め設定された方向の両端部間で前記移動体を移動させるように構成され、
前記支持手段は、前記軌条を上下方向に揺動自在に支持するように構成され、
前記傾斜手段は、前記軌条を上下方向に揺動させるように構成されてなることを特徴とする請求項１記載の遊戯装置。
【請求項３】
前記支持手段は、前記軌条の両端部間の中央部を水平な揺動中心軸回りに揺動自在に支持するように構成され、
前記傾斜手段は、前記軌条の、前記支持手段による支持部から離れた部分に設定された駆動位置を繰り返し上下動させて前記軌条を前記揺動中心軸回りに揺動させるように構成されてなることを特徴とする請求項２記載の遊戯装置。
【請求項４】
前記傾斜手段は、前記軌条の駆動位置を上昇端位置と下降端位置との間で上下方向に移動させる駆動機構と、前記軌条の駆動位置が上昇端位置に移動したことを検出する第１検出センサと、前記軌条の駆動位置が下降端位置に移動したことを検出する第２検出センサと、前記各検出センサから得られる検出信号を基に前記駆動機構の作動を制御する制御部であって、前記第１検出センサから得られる検出信号を基に前記軌条の駆動位置が上昇端位置まで移動したことを確認すると、前記軌条の駆動位置が下方に移動するように前記駆動機構の作動を制御し、前記第２検出センサから得られる検出信号を基に前記軌条の駆動位置が下降端位置まで移動したことを確認すると、前記軌条の駆動位置が上方に移動するように前記駆動機構の作動を制御する制御部とから構成されてなることを特徴とする請求項３記載の遊戯装置。
【請求項５】
前記駆動機構は、長手方向が上下方向に設けられて上下方向に移動し、一端部が前記軌条の駆動位置に接続された棒状の移動部材を備え、この移動部材を上下方向に移動させるように構成されてなることを特徴とする請求項４記載の遊戯装置。
【請求項６】
前記傾斜手段は、水平な回転中心軸回りに回転するクランク部材と、長手方向が上下方向に設けられて、一端側が前記クランク部材の、前記回転中心軸からずれた位置に接続し、他端側が前記軌条の駆動位置に接続したクランクロッドと、前記クランク部材を前記回転中心軸回りに回転させる駆動機構とから構成されてなることを特徴とする請求項３記載の遊戯装置。
【請求項７】
前記軌条の両端部にストッパを更に備え、
前記軌条の一方端側に設けられた前記ストッパは、この軌条に沿って他方端側から一方端側に移動する移動体に当接してその一方端側への移動を規制し、前記軌条の他方端側に設けられた前記ストッパは、この軌条に沿って一方端側から他方端側に移動する移動体に当接してその他方端側への移動を規制するように構成されてなることを特徴とする請求項２乃至６記載のいずれかの遊戯装置。
【発明の詳細な説明】
【技術分野】
【０００１】
本発明は、予め設定された方向に沿って形成された軌条と、前記軌条に係合し、この軌条に沿って移動する移動体と、遊戯者が掴まってぶら下がる掴持部を有し、前記移動体に接続されてこの移動体とともに移動する部材とを備え、掴持部にぶら下がった遊戯者が軌条に沿って移動して遊ぶように構成された遊戯装置に関する。
【背景技術】
【０００２】
前記遊戯装置として、従来、例えば、特開平８−２１５４３６号公報に開示されたものが知られている。この遊戯装置は、環状に形成され、軸線が鉛直方向から傾斜して高低差が生じるように配設された軌条と、前記軌条に係合し、この軌条に沿って移動する移動体と、遊戯者が掴まってぶら下がる掴持部を有し、移動体に接続されてこの移動体とともに移動する部材などから構成される。前記移動体は、一方向にのみ回転する軸受によって支持された車輪を有し、この車輪が前記軌条に係合している。
【０００３】
そして、この遊戯装置では、遊戯者は、掴持部に掴まってぶら下がり、移動体とともに軌条の高所側から低所側に向けて斜め下方に移動したり、慣性により軌条の低所側から高所側に向けて斜め上方に移動したり、体を揺すって上り傾斜を上がることで、ぶら下がって移動するときの感覚を楽しみながら遊ぶことができる。
【０００４】
尚、前記移動体は、車輪を支持する軸受が一方向にのみ回転するように構成されて、前方側にのみ移動し、後方側への移動が防止されるようになっているので、上り傾斜を上がる際に移動体が後退することはない。
【０００５】
【特許文献１】特開平８−２１５４３６号公報
【発明の開示】
【発明が解決しようとする課題】
【０００６】
しかしながら、上記従来の遊戯装置では、軌条に沿って一周するのに上り傾斜部分を上がる必要があるので、体力的に未発達の子供達（特に、幼児）は、上り傾斜部分を上がり切ることができず、軌条の高所側に適宜設定された、掴持部へのぶら下がり位置たるスタート位置に戻ることができなかったり、気軽に遊ぶことができないという問題があった。
【０００７】
また、遊戯者が上り傾斜部分を上がるのを無くすために、軌条の低所側で遊戯者が掴持部から手を放すようにすると、移動体を軌条の高所側に戻さなければならず、また、戻すのに手間がかかる。
【０００８】
本発明は、以上の実情に鑑みなされたものであって、子供達が気軽に且つ手軽に遊ぶことができる遊戯装置の提供をその目的とする。
【課題を解決するための手段】
【０００９】
上記目的を達成するための本発明は、
予め設定された方向に沿って形成された軌条と、
前記軌条に係合し、この軌条に沿って移動する移動体と、
遊戯者が掴まってぶら下がる掴持部を有し、前記移動体に接続されてこの移動体とともに移動する部材と、
前記軌条に沿った方向において高低差が生じるようにこの軌条を傾斜自在に支持する支持手段と、
前記軌条に沿った方向において高低差が生じるようにこの軌条を傾斜させる傾斜手段とを備えてなることを特徴とする遊戯装置に係る。
【００１０】
この発明によれば、子供などの遊戯者が掴持部に掴まってぶら下がった後、支持手段によって支持された軌条が、傾斜手段により、この軌条に沿った方向において高低差が生じるように且つ移動体の位置する部分が上側となるように傾斜せしめられると、移動体が、掴持部にぶら下がった遊戯者とともに、軌条に沿って軌条の高所側から軌条の低所側に向け斜め下方に移動する。これにより、遊戯者は、ぶら下がって移動するときの感覚を楽しみながら遊ぶことができる。
【００１１】
尚、当該遊戯装置における軌条の動作態様としては、例えば、軌条の他方端側を低くして軌条の一方端側から他方端側に遊戯者を移動させたり、軌条の他方端側を低くして軌条の一方端側から他方端側に遊戯者を移動させた後、軌条の一方端側を低くして軌条の他方端側から一方端側に遊戯者を移動させたり、環状に形成された軌条を傾斜させて軌条の低所側まで遊戯者を移動させた後、軌条を逆側に傾斜させて、低所側だった部分を高所側に、高所側だった部分を低所側にし、遊戯者を軌条に沿って一周させるように移動させることなどを挙げることができる。また、軌条の他方端側を低くして軌条の一方端側から他方端側に遊戯者を移動させた場合には、その後、軌条の一方端側を低くすることで、移動体を簡単に元の位置に戻すことができる。
【００１２】
このように、本発明に係る遊戯装置によれば、傾斜手段によって軌条を傾斜させたり、軌条の傾斜方向を制御しつつ傾斜させることで、遊戯者（移動体）の移動方向を斜め下方とすることができ、遊戯者の力を必要とすることなく遊戯者を移動させることができる。これにより、遊戯者は、当該遊戯装置で気軽に且つ手軽に遊ぶことができる。また、移動体を簡単に元の位置（斜め下方に移動する前の位置）に戻すこともできる。また、軌条の動きを見た遊戯者に興味を持たせてこの遊戯装置で遊びたいと思わせることもできる。
【００１３】
尚、前記軌条は、前記予め設定された方向の両端部間で前記移動体を移動させるように構成され、前記支持手段は、前記軌条を上下方向に揺動自在に支持するように構成され、前記傾斜手段は、前記軌条を上下方向に揺動させるように構成されていても良い。
【００１４】
このようにすれば、傾斜手段により軌条を上下方向に揺動させることで、軌条の一方端側から他方端側に向かう移動と、軌条の他方端側から一方端側に向かう移動とを交互に繰り返すことができ、移動体を簡単に往復移動させることができる。また、移動体（遊戯者）を往復移動させることによって、移動体（遊戯者）が軌条の一方端側から他方端側にのみ移動したり、軌条の他方端側から一方端側にのみ移動する場合に比べ、いろいろな方向への移動感覚を楽しませることができる。
【００１５】
また、前記支持手段は、前記軌条の両端部間の中央部を水平な揺動中心軸回りに揺動自在に支持するように構成され、前記傾斜手段は、前記軌条の、前記支持手段による支持部から離れた部分に設定された駆動位置を繰り返し上下動させて前記軌条を前記揺動中心軸回りに揺動させるように構成されていても良い。
【００１６】
このようにすれば、遊戯者に往復移動を何度も楽しませることができる。また、軌条の両端部間の中央部を支持することで、軌条の両端部の上下方向への移動量を少なくして前記駆動位置のストロークを短くすることができ、当該駆動位置を上下動させるのに好都合となる。
【００１７】
また、前記傾斜手段は、前記軌条の駆動位置を上昇端位置と下降端位置との間で上下方向に移動させる駆動機構と、前記軌条の駆動位置が上昇端位置に移動したことを検出する第１検出センサと、前記軌条の駆動位置が下降端位置に移動したことを検出する第２検出センサと、前記各検出センサから得られる検出信号を基に前記駆動機構の作動を制御する制御部であって、前記第１検出センサから得られる検出信号を基に前記軌条の駆動位置が上昇端位置まで移動したことを確認すると、前記軌条の駆動位置が下方に移動するように前記駆動機構の作動を制御し、前記第２検出センサから得られる検出信号を基に前記軌条の駆動位置が下降端位置まで移動したことを確認すると、前記軌条の駆動位置が上方に移動するように前記駆動機構の作動を制御する制御部とから構成されていても良い。
【００１８】
このようにすれば、制御部による制御の下、各検出センサから得られる検出信号を基に、移動方向を切り換えながら軌条の駆動位置を上下動させることができ、軌条を効果的に揺動させることができる。
【００１９】
この場合において、前記駆動機構は、長手方向が上下方向に設けられて上下方向に移動し、一端部が前記軌条の駆動位置に接続された棒状の移動部材を備え、この移動部材を上下方向に移動させるように構成されていても良い。このようにすれば、移動部材を上下方向に移動させることで軌条の駆動位置を上下方向に移動させることができる。
【００２０】
また、前記傾斜手段は、水平な回転中心軸回りに回転するクランク部材と、長手方向が上下方向に設けられて、一端側が前記クランク部材の、前記回転中心軸からずれた位置に接続し、他端側が前記軌条の駆動位置に接続したクランクロッドと、前記クランク部材を前記回転中心軸回りに回転させる駆動機構とから構成されていても良い。
【００２１】
このようにすれば、駆動機構によってクランク部材が回転中心軸回りに回転せしめられ、クランクロッドの一端側が回転中心軸回りに旋回することで、クランクロッドの他端側が上下方向に移動し、これにより、軌条の駆動位置が上下方向に移動する。したがって、このように構成しても、移動方向を切り換えながら軌条の駆動位置を上下動させることができ、軌条を効果的に揺動させることができる。
【００２２】
また、前記遊戯装置は、前記軌条の両端部にストッパを更に備え、前記軌条の一方端側に設けられた前記ストッパは、この軌条に沿って他方端側から一方端側に移動する移動体に当接してその一方端側への移動を規制し、前記軌条の他方端側に設けられた前記ストッパは、この軌条に沿って一方端側から他方端側に移動する移動体に当接してその他方端側への移動を規制するように構成されていても良い。
【００２３】
このようにすれば、軌条の傾斜方向が変わって移動体の移動方向が変わる前に移動体が軌条の端部に達するようなことがあっても、ストッパによって移動体の移動を規制することができるので、移動体が軌条から脱落するのを効果的に防止し、安全に遊戯させることができる。
【発明の効果】
【００２４】
以上のように、本発明に係る遊戯装置によれば、傾斜手段によって軌条を傾斜させることで、その傾斜方向に沿って遊戯者（移動体）を移動させることができるので、遊戯者は、気軽に且つ手軽に遊ぶことができる。また、移動体を簡単に元の位置（斜め下方に移動する前の位置）に戻すこともできる。また、軌条の動きを見た遊戯者に興味を持たせてこの遊戯装置で遊びたいと思わせることもできる。
【発明を実施するための最良の形態】
【００２５】
以下、本発明の具体的な実施形態について、添付図面に基づき説明する。尚、図１及び図２は、本発明の一実施形態に係る遊戯装置の概略構成を示した断面図である。また、図３は、図１及び図２に示した遊戯装置の平面図であり、図４は、図１における矢示Ａ方向の側面図であり、図５は、図１における矢示Ｂ方向の側面図である。また、図６は、本実施形態に係る軌条，移動体及び環状部材の概略構成を示した断面図であり、図７は、図５における矢示Ｃ−Ｃ方向の断面図である。
【００２６】
図１乃至図７に示すように、本例の遊戯装置１は、予め設定された直線方向に沿って形成された軌条１０と、前記軌条１０に係合し、この軌条１０に沿って移動する移動体２０と、遊戯者Ｙが掴まってぶら下がる掴持部１５ａを有し、前記移動体２０に接続されてこの移動体２０とともに移動する環状部材１５と、前記軌条１０に沿った方向において高低差が生じるようにこの軌条１０を傾斜自在に支持する支持機構３０と、前記軌条１０に沿った方向において高低差が生じるようにこの軌条１０を傾斜させる傾斜機構４０とを備える。
【００２７】
前記軌条１０は、下面が開口するとともに、内部が中空となった直方体状に形成され、長手方向が前記直線方向に沿うように形成されている。前記下面開口部１１は、一定幅を有するように軌条１０の幅方向中央部に形成され、軌条１０の長手方向に沿って設けられる。また、この開口部１１の幅方向両端には、凸部１２が形成されている。
【００２８】
前記軌条１０の内部の長手方向両端部には、ストッパ１３がそれぞれ設けられる。軌条１０の一方端側に設けられたストッパ１３は、この軌条１０に沿って他方端側から一方端側に移動する移動体２０に当接してその一方端側への移動を規制し、軌条１０の他方端側に設けられたストッパ１３は、この軌条１０に沿って一方端側から他方端側に移動する移動体２０に当接してその他方端側への移動を規制する。また、このストッパ１３は、例えば、ばねやゴム、油圧、空圧などを利用した緩衝機構などから構成されて、移動体２０が衝突したときの衝撃を緩和することができるように構成されている。
【００２９】
前記移動体２０は、軌条１０の中空部内に配置され、この中空部内を軌条１０の長手方向に沿って移動可能に設けられるもので、軸線が軌条１０の長手方向と直交し且つ水平に配置された第１回転軸２１と、この第１回転軸２１の両端部に、第１回転軸２１の軸線方向に一定間隔を隔てて設けられた第１車輪２２と、軌条１０の長手方向に第１回転軸２１と一定間隔を隔てて設けられ、軸線が水平に配置された第２回転軸２３と、第２回転軸２３の軸線方向に一定間隔を隔てて設けられた第２車輪２４と、第１回転軸２１及び第２回転軸２３を連結し、これら各回転軸２１，２３を軸線中心に回転自在に支持する連結部材２５とからなる。
【００３０】
前記第１車輪２２及び第２車輪２４は、その外周面が軌条１０の底面に当接し、軌条１０の凸部１２を挟むようにこの凸部１２に係合しており、これによって、各回転軸２１，２３の軸線方向への移動（軌条１０の幅方向への移動）が規制されるようになっている。また、前記連結部材２５は、軌条１０の開口部１１に位置するように設けられ、下面には、環状部材１５の取り付けられる取付部材２６が開口部１１から下方に突出するように固設されている。
【００３１】
前記環状部材１５は、六角形をした環状に形成され、吊り下げロープ１６によって移動体２０の取付部材２６から吊り下げられており、下部側が前記掴持部１５ａとして機能する。この環状部材１５は、例えば、プラスチックなどから構成されたり、シート状の部材の内部に空気が充填されて構成される。
【００３２】
前記支持機構３０は、複数の部材が格子状に組み付けられて構成された支持体３１と、支持体３１の四隅部を支持する４本の支柱３２と、支持体３１の下面中央部に掛け渡された矩形状の支持ビーム３３と、支持ビーム３３の両側面に固設された第１接続部材３４と、軌条１０の上面に取り付けられた支持部材３５と、支持部材３５の上面であり且つ軌条１０の長手方向中央部となる位置に固設された第２接続部材３６と、軸線が軌条１０の長手方向と垂直な水平方向に配置され、第１接続部材３４と第２接続部材３６とを相対的に揺動自在に接続する接続軸３７とからなり、第２接続部材３６が接続軸３７の軸線を中心にして揺動することで、軌条１０がその長手方向に平行な鉛直面内で揺動する。
【００３３】
前記傾斜機構４０は、軸線が軌条１０の長手方向と垂直な水平方向に配置され、軸線中心に回転自在に支持機構３０の支持ビーム３３によって支持された支持軸４１と、支持軸４１の両端部に接続した接続部材４２と、接続部材４２が下面に固設され、内部が中空に形成された筐体状の収納部材４３と、収納部材４３の外面に配設された駆動モータ４４と、駆動モータ４４の出力軸に固設され、収納部材４３の内部に配置されるピニオンギア４５と、長手方向が上下方向に配設されて上昇端位置と下降端位置との間で上下方向に移動自在に設けられ、ピニオンギア４５と噛合するラック（移動部材）４６と、ラック４６の上部及び下部にそれぞれ設けられた上当接部材４７及び下当接部材４８と、収納部材４３の外面に配設され、長手方向が上下方向に配設された支持棒４９と、支持棒４９の上部及び下部にそれぞれ設けられ、上当接部材４７及び下当接部材４８との接触を検出する第１検出センサ５０及び第２検出センサ５１と、支持機構３０の支持部材３５の側面であり且つ前記第２接続部材３６の配設位置から軌条１０の長手方向に一定間隔を隔てた位置に設けられ、この支持部材３５とラック４６の下端部とを接続するジョイント５２と、各検出センサ５０，５１からの検出信号を基に駆動モータ４４の作動を制御する制御部（図示せず）とからなる。尚、駆動モータ４４及びピニオンギア４５が特許請求の範囲に言う駆動機構として機能する。
【００３４】
前記収納部材４３の上面及び下面には、ラック４６の横断面形状よりも大きい開口部４３ａが形成され、前記ジョイント５２は、例えば、ボールジョイントなどから構成される。前記ラック４６は、その長手方向の中央部が収納部材４３の内部に配置され、長手方向の上部及び下部が収納部材４３の開口部４３ａから上下に突出している。
【００３５】
前記上当接部材４７及び第１検出センサ５０は、ラック４６が上昇端位置に移動したことを検出するためのものであり、前記下当接部材４８及び第２検出センサ５１は、ラック４６が下降端位置に移動したことを検出するためのものである。
【００３６】
前記制御部（図示せず）は、第１検出センサ５０から得られる検出信号を基に、この第１検出センサ５０と上当接部材４７とが接触したことを認識すると、ラック４６が下方に移動するように駆動モータ４４（ピニオンギア４５）の回転方向を制御し、第２検出センサ５１から得られる検出信号を基に、この第２検出センサ５１と下当接部材４８とが接触したことを認識すると、ラック４６が上方に移動するように駆動モータ４４（ピニオンギア４５）の回転方向を制御する。
【００３７】
この支持機構３０及び傾斜機構４０では、制御部（図示せず）により駆動モータ４４が駆動されてピニオンギア４５が回転すると、図１に示すように、ラック４６が上方に移動して、支持部材３５，第２接続部材３６及び軌条１０が接続軸３７の軸線を揺動中心にして揺動し、これにより、軌条１０の一方端側が上方に、軌条１０の他方端側が下方に移動するように傾斜して、軌条１０の両端部間に高低差が生じる。また、このとき、接続部材４２及び収納部材４３などが一体的に支持軸４１を中心にして揺動する。
【００３８】
そして、ラック４６の上方への移動によって第１検出センサ５０と上当接部材４７とが接触すると、即ち、ジョイント５２を介した支持部材３５とラック４６との接続部たる、軌条１０の駆動位置が上昇端位置まで上昇すると、制御部（図示せず）により駆動モータ４４の回転方向が逆向きにされ、ピニオンギア４５が逆方向に回転せしめられる。ピニオンギア４５が逆方向に回転すると、図２に示すように、ラック４６が下方に移動して、支持部材３５，第２接続部材３６及び軌条１０が接続軸３７の軸線を揺動中心にして揺動し、これにより、軌条１０の一方端側が下方に、軌条１０の他方端側が上方に移動するように傾斜して、軌条１０の両端部間に高低差が生じる。また、このとき、接続部材４２及び収納部材４３などが一体的に支持軸４１を中心にして揺動する。
【００３９】
この後、ラック４６の下方への移動によって第２検出センサ５１と下当接部材４８とが接触すると、即ち、ジョイント５２を介した支持部材３５とラック４６との接続部たる、軌条１０の駆動位置が下降端位置まで下降すると、制御部（図示せず）により駆動モータ４４の回転方向が逆向きにされ、図１に示すように、ラック４６が上方に移動せしめられる。以降、ラック４６の上方への移動と下方への移動が交互に繰り返され、傾斜方向が交互に反対向きとなるように軌条１０が揺動せしめられる。
【００４０】
尚、符号５５は、遊戯者Ｙが環状部材１５にぶら下がったり、環状部材１５から降りるための乗降り台である。
【００４１】
以上のように構成された本例の遊戯装置１によれば、軌条１０の揺動により、軌条１０の一方端側が上方に、軌条１０の他方端側が下方に移動するように傾斜すると、生じた高低差によって、移動体２０が各車輪２２，２４の回転により環状部材１５とともに軌条１０に沿って軌条１０の高所側（一方端側）から軌条１０の低所側（他方端側）に向け斜め下方に移動する（図１参照）。
【００４２】
逆に、軌条１０の揺動により、軌条１０の一方端側が下方に、軌条１０の他方端側が上方に移動するように傾斜すると、生じた高低差によって、移動体２０が各車輪２２，２４の回転により環状部材１５とともに軌条１０に沿って軌条１０の高所側（他方端側）から軌条１０の低所側（一方端側）に向け斜め下方に移動する（図２参照）。
【００４３】
遊戯者Ｙは、このようにして、軌条１０の一方端側から他方端側に向かう移動と、軌条１０の他方端側から一方端側に向かう移動とを交互に繰り返す環状部材１５の掴持部１５ａに掴まってぶら下がることで、ぶら下がって往復移動（前方への移動と後方への移動）するときの感覚を楽しみながら遊ぶことができる。
【００４４】
尚、移動体２０が軌条１０の端部にまで達すると、軌条１０の他方端側に設けられたストッパ１３によって移動体２０の一方端側から他方端側への移動が規制されるとともに、軌条１０の一方端側に設けられたストッパ１３によって移動体２０の他方端側から一方端側への移動が規制されるので、移動体２０は、軌条１０のストッパ１３間で移動する。
【００４５】
斯くして、本例の遊戯装置１によれば、軌条１０を揺動させて傾斜させることで、その傾斜方向に沿って遊戯者Ｙ（移動体２０）を移動させることができ、遊戯者Ｙの力を必要とすることなく遊戯者Ｙを移動させることができる。これにより、遊戯者Ｙは、当該遊戯装置１で気軽に且つ手軽に遊ぶことができる。また、軌条１０の動きを見た遊戯者Ｙに興味を持たせてこの遊戯装置１で遊びたいと思わせることもできる。
【００４６】
また、軌条１０を揺動させることで、遊戯者Ｙ（移動体２０）を簡単に何度も往復移動させることができる。また、遊戯者Ｙを前方及び後方の両方に移動させることで、遊戯者Ｙを前方にのみ移動させる場合や、遊戯者Ｙを後方にのみ移動させる場合に比べ、いろいろな方向への移動感覚を楽しませることができる。
【００４７】
また、軌条１０の長手方向中央部を支持することで、軌条１０の両端部の上下方向への移動量を少なくしてラック４６のストロークを短くすることができ、軌条１０を上下動させるのに都合が良い。また、各検出センサ５０，５１から得られる検出信号を基に、移動方向を切り換えながらラック４６を上下動させることで、軌条１０を効果的に揺動させることができる。
【００４８】
また、軌条１０の両端部にストッパ１３を設けているので、軌条１０の傾斜方向が変わって移動体２０の移動方向が変わる前に移動体２０が軌条１０の端部に達するようなことがあっても、ストッパ１３によって移動体２０の移動を規制することができるので、移動体２０が軌条１０から脱落するのを効果的に防止し、安全に遊戯させることができる。
【００４９】
以上、本発明の一実施形態について説明したが、本発明の採り得る具体的な態様は、何らこれに限定されるものではない。
【００５０】
上例では、ジョイント５２を介した支持部材３５とラック４６との接続部たる、軌条１０の駆動位置が上昇端位置又は下降端位置に移動したか否かを各当接部材４７，４８及び各検出センサ５０，５１によって（即ち、ラック４６が上昇端位置又は下降端位置に移動したか否かによって）検出するように構成したが、これに限られるものではなく、例えば、軌条１０の傾斜角度や、軌条１０の他の部分の高さ位置などから判断するようにしても良い。
【００５１】
また、駆動モータ４４，ピニオンギア４５及びラック４６によって軌条１０を上下動させるのではなく、油圧シリンダや空圧シリンダといった駆動機構により軌条１０を上下動させるようにしても良い。この場合においても、上記と同様に、適宜検出センサから得られる検出信号を基に、移動方向を切り換えながら軌条１０の駆動位置を上下動させることで当該軌条１０を揺動させることができる。
【００５２】
また、ラック４６を上下に移動させることによって軌条１０を揺動させるのではなく、例えば、図８及び図９に示すようにして軌条１０を揺動させることもできる。この場合、同図８及び図９に示すように、傾斜機構６０は、支持機構３０の支持ビーム３３の上面に配設された支持部材６１と、この支持部材６１の下面にブラケット６２を介して固設された駆動モータ６３と、駆動モータ６３の出力軸に固設され、水平な回転中心軸回りに回転する、回転体たるクランク部材６４と、支持機構３０の支持部材３５の上面に固設されたブラケット６５と、長手方向が上下方向に設けられて、一端側がクランク部材６４の外周側（回転中心軸からずれた位置）に接続し、他端側がブラケット６５に接続したクランクロッド６６とからなる。尚、前記クランクロッド６６は、クランク部材６４との接続部及びブラケット６５との接続部が、例えば、ボールジョイントなどから構成されている
【００５３】
このように構成された傾斜機構６０及び前記支持機構３０によれば、駆動モータ６３が駆動されてクランク部材６４が回転すると、クランクロッド６６の一端側が回転中心軸回りに旋回して、クランクロッド６６の他端側が上下方向に移動し、軌条１０の、ブラケット６５の接続位置たる駆動位置が上下方向に移動する。これにより、支持部材３５，第２接続部材３６及び軌条１０が接続軸３７の軸線を揺動中心にして揺動し、軌条１０の一方端側が上方に、軌条１０の他方端側が下方に移動するように傾斜したり、軌条１０の一方端側が下方に、軌条１０の他方端側が上方に移動するように傾斜する。
【００５４】
また、上例では、軌条１０を揺動させることで、遊戯者Ｙ（移動体２０）を往復移動させるように構成したが、これに限られるものではなく、遊戯者Ｙ（移動体２０）を軌条１０の一方端側から他方端側に向けて前方にのみ移動させたり、遊戯者Ｙ（移動体２０）を軌条１０の他方端側から一方端側に向けて後方にのみ移動させるように、軌条１０を傾斜させるようにしても良い。この場合、遊戯者Ｙの移動後、軌条１０を逆向きに傾斜させることで、移動体２０及び環状部材１５を簡単に元の位置（斜め下方に移動する前の位置）に戻すことができる。
【００５５】
また、上例では、軌条１０を予め設定された直線方向に沿って形成したが、これに限られるものではなく、例えば、左右に蛇行するように形成したり、上下にうねるように形成しても良い。但し、軌条１０の傾斜によって軌条１０の一方端側から他方端側に又は他方端側から一方端側に移動体２０が移動可能な範囲で蛇行させたり、うねらせる必要がある。
【００５６】
また、更に、軌条１０を環状に形成して遊戯者Ｙを軌条１０に沿って一周又は循環移動させるようにすることもできる。この場合、移動体２０（遊戯者Ｙ）が軌条１０に沿って半周したところで軌条１０の傾斜方向を逆向きにすれば、効果的に遊戯者Ｙを一周又は循環移動させることができる。即ち、例えば、適宜センサなどで移動体２０（遊戯者Ｙ）を検出することにより、遊戯者Ｙが軌条１０の高所側から低所側まで移動したか否かを確認し、移動したことを確認した場合に、軌条１０を逆側に傾斜させて、低所側だった部分を高所側に、高所側だった部分を低所側にする。
【００５７】
また、上例では、遊戯者Ｙが六角形形状をした環状部材１５に掴まってぶら下がるようにしているが、これに限られるものではなく、例えば、円形に形成された部材や六角形以外の多角形に形成された部材、水平な棒状に形成された部材などの各掴持部に掴まってぶら下がるように構成しても良い。また、環状部材１５の移動体２０への接続方法は、上例のように、吊り下げロープ１６を用いた方法に限定されるものではない。また、遊戯者Ｙの掴まり方としては、特に限定されるものではなく、例えば、掴持部１５ａにしがみついたり、掴持部１５ａを握るなど遊戯者Ｙが掴持部１５ａに掴まってぶら下がる各種の態様を採用することができる。
【００５８】
また、更に、移動体２０に吊り下げられ、遊戯者Ｙが掴まってぶら下がる部材は、遊戯者Ｙが一人だけぶら下がるのではなく、図１０に示すように、二人の遊戯者Ｙがぶら下がったり、特に図示はしないが、二人以上の遊戯者Ｙがぶら下がるようにしても良い。尚、図１０に示した部材１５は、下端部が二股に形成されて、その各端部に遊戯者Ｙが掴まってぶら下がる棒状の掴持部１５ａが形成されている。
【図面の簡単な説明】
【００５９】
【図１】本発明の一実施形態に係る遊戯装置の概略構成を示した断面図である。
【図２】本発明の一実施形態に係る遊戯装置の概略構成を示した断面図である。
【図３】図１及び図２に示した遊戯装置の平面図である。
【図４】図１における矢示Ａ方向の側面図である。
【図５】図１における矢示Ｂ方向の側面図である。
【図６】本実施形態に係る軌条，移動体及び環状部材の概略構成を示した断面図である。
【図７】図５における矢示Ｃ−Ｃ方向の断面図である。
【図８】本発明の他の実施形態に係る傾斜機構などの概略構成を示した断面図である。
【図９】図８における矢示Ｄ−Ｄ方向の断面図である。
【図１０】本発明の他の実施形態に係る遊戯装置の一部の概略構成を示した断面図である。
【符号の説明】
【００６０】
１    遊戯装置
１０  軌条
１３  ストッパ
１５  環状部材
１６  吊り下げロープ
２０  移動体
２１，２３  回転軸
２２，２４  車輪
２５  連結部材
２６  取付部材
３０  支持機構
３１  支持体
３２  支柱
３３  支持ビーム
３４，３６  接続部材
３５  支持部材
３７  接続軸
４０  傾斜機構
４１  支持軸
４２  接続部材
４３  収納部材
４４  駆動モータ
４５  ピニオンギア
４６  ラック
４７，４８  当接部材
４９  支持棒
５０，５１  センサ
５２  ジョイント
【図１】
2008061799.tif 000003
【図２】
2008061799.tif 000004
【図３】
2008061799.tif 000005
【図４】
2008061799.tif 000006
【図５】
2008061799.tif 000007
【図６】
2008061799.tif 000008
【図７】
2008061799.tif 000009
【図８】
2008061799.tif 000010
【図９】
2008061799.tif 000011
【図１０】
2008061799.tif 000012